【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
画像のダイナミックレンジの内、出力されるダイナミックレンジの幅の中間値を示すウィンドウレベルを、操作部の操作により変化させる画像処理装置において、
画像を入力する画像入力手段と、
前記画像入力手段によって入力された前記画像の光度解釈を判定する判定手段と、
予め設定された光度解釈に応じて、前記操作部の操作と、前記ウィンドウレベルの変化の方向との対応を設定する設定手段と、
前記判定手段によって前記予め設定された光度解釈とは異なる光度解釈の画像が入力されたと判定されるときに、前記設定手段によって設定された前記ウィンドウレベルの変化の方向を反転させる反転手段とを有することを特徴とする画像処理装置。
【請求項２】
画像のダイナミックレンジの内、出力されるダイナミックレンジの幅の中間値を示すウィンドウレベルを、操作部の操作によりの変化させる画像処理装置において、
画像を入力する画像入力手段と、
前記画像入力手段によって入力された前記画像の光度解釈を判定する判定手段と、
前記操作部の操作と前記ウィンドウレベルの変化の方向との対応を設定する設定手段と、
前記判定手段によって判定される前記画像の光度解釈に応じて、前記設定手段によって設定された前記ウィンドウレベルの変化の方向を反転させる反転手段とを有することを特徴とする画像処理装置。
【請求項３】
画像のダイナミックレンジの内、出力されるダイナミックレンジの幅の中間値を示すウィンドウレベルを、操作部の操作により変化させる画像処理装置において、
画像を入力する画像入力手段と、
前記画像入力手段によって入力された前記画像の光度解釈を判定する判定手段と、
前記判定手段によって判定される前記画像の光度解釈に応じて、前記操作部の操作と前記ウィンドウレベルの変化方向を設定する設定手段とを有することを特徴とする画像処理装置。
【請求項４】
画像のダイナミックレンジの内、出力されるダイナミックレンジの幅の中間値を示すウィンドウレベルを、操作部の操作により変化させる画像処理装置において、
画像を入力する画像入力手段と、
前記画像入力手段によって入力された前記画像の光度解釈を判定する判定手段と、
前記画像に対して白黒反転処理を指示する白黒反転指示手段と、
前記操作部の操作と前記ウィンドウレベルの変化の方向との対応を設定する設定手段と、
前記判定手段の判定結果および前記白黒反転指示手段による指示の有無に応じて、前記設定手段によって設定された前記ウィンドウレベルの変化の方向を反転する反転手段とを有することを特徴とする画像処理装置。
【請求項５】
前記反転手段は、予め設定された光度解釈の画像における前記操作部の操作と入力画像のウィンドウレベルの変化の方向と、前記判定手段で判定された光度解釈の画像の白黒反転画像における前記操作部の操作と前記入力画像のウィンドウレベルの変化の方向とが一致するように、前記設定手段によって設定された前記ウィンドウレベルの変化の方向を反転することを特徴とする請求項４に記載の画像処理装置。
【請求項６】
画像のダイナミックレンジの内、出力されるダイナミックレンジの幅の中間値を示すウィンドウレベルを変化させる画像処理装置において、
画像を入力する画像入力手段と、
前記画像入力手段によって入力された前記画像の光度解釈を判定する判定手段と、
前記画像に対して白黒反転処理を指示する白黒反転指示手段と、
前記判定手段の判定結果および前記白黒反転指示手段による指示の有無に応じて、前記操作部の操作と前記ウィンドウレベルの変化の方向を設定する設定手段とを有することを特徴とする画像処理装置。
【請求項７】
前記変化方向設定手段は、予め設定された光度解釈の画像における前記操作部の操作と前記入力画像のウィンドウレベルの変化の方向と、前記判定手段で判定された光度解釈の画像の白黒反転画像における前記操作部の操作と前記ウィンドウレベルの変化の方向とが一致するように、前記操作部の操作と前記ウィンドウレベルの変化の方向を設定することを特徴とする請求項６に記載の画像処理装置。
【請求項８】
前記判定手段は入力画像のヘッダ情報に基づいて画像の光度解釈を判定することを特徴とする請求項１乃至７のいずれか１項に記載の画像処理装置。
【請求項９】
入力値を横軸に出力値を縦軸にとり、ウィンドウ幅およびウィンドウレベルを表示する画面を表示する画面表示手段を有し、前記反転手段によって前記ウィンドウレベルの変化の方向を反転させたときに、前記画面表示手段は前記横軸を反転させてウィンドウ幅およびウィンドウレベルを表示することを特徴とする請求項１、２、４、５のいずれか１項に記載の画像処理装置。
【請求項１０】
入力値を横軸に出力値を縦軸にとり、ウィンドウ幅およびウィンドウレベルを表示する画面を表示する画面表示手段を有し、前記画面表示手段は前記設定手段によって設定された前記ウィンドウレベルの変化の方向に基づいて、前記横軸の方向を設定することを特徴とする請求項３に記載の画像処理装置。
【請求項１１】
画像のダイナミックレンジの内、出力されるダイナミックレンジの幅の中間値を示すウィンドウレベルを、操作部の操作により変化させる画像処理方法において、
画像を入力する画像入力工程と、
前記画像入力工程によって入力された前記画像の光度解釈を判定する判定工程と、
予め設定された光度解釈に応じて、前記操作部の操作と、前記ウィンドウレベルの変化の方向との対応を設定する設定工程と、
前記判定工程によって前記予め設定された光度解釈とは異なる光度解釈の画像が入力されたと判定されるときに、前記設定工程によって設定された前記ウィンドウレベルの変化の方向を反転させる反転工程とを有することを特徴とする画像処理方法。
【請求項１２】
画像のダイナミックレンジの内、出力されるダイナミックレンジの幅の中間値を示すウィンドウレベルを、操作部の操作によりの変化させる画像処理方法において、
画像を入力する画像入力工程と、
前記画像入力工程によって入力された前記画像の光度解釈を判定する判定工程と、
前記操作部の操作と前記ウィンドウレベルの変化の方向との対応を設定する設定工程と、
前記判定工程によって判定される前記画像の光度解釈に応じて、前記設定工程によって設定された前記ウィンドウレベルの変化の方向を反転させる反転工程とを有することを特徴とする画像処理方法。
【請求項１３】
画像のダイナミックレンジの内、出力されるダイナミックレンジの幅の中間値を示すウィンドウレベルを、操作部の操作により変化させる画像処理方法において、
画像を入力する画像入力手段と、
前記画像入力手段によって入力された前記画像の光度解釈を判定する判定手段と、
前記判定手段によって判定される前記画像の光度解釈に応じて、前記操作部の操作と前記ウィンドウレベルの変化方向を設定する設定手段とを有することを特徴とする画像処理方法。
【請求項１４】
画像のダイナミックレンジの内、出力されるダイナミックレンジの幅の中間値を示すウィンドウレベルを、操作部の操作により変化させる画像処理方法において、
画像を入力する画像入力工程と、
前記画像入力工程によって入力された前記画像の光度解釈を判定する判定工程と、
前記画像に対して白黒反転処理を指示する白黒反転指示工程と、
前記操作部の操作と前記ウィンドウレベルの変化の方向との対応を設定する設定工程と、
前記判定工程の判定結果および前記白黒反転指示工程による指示の有無に応じて、前記設定工程によって設定された前記ウィンドウレベルの変化の方向を反転する反転工程とを有することを特徴とする画像処理方法。
【請求項１５】
画像のダイナミックレンジの内、出力されるダイナミックレンジの幅の中間値を示すウィンドウレベルを変化させる画像処理方法において、
画像を入力する画像入力工程と、
前記画像入力工程によって入力された前記画像の光度解釈を判定する判定工程と、
前記画像に対して白黒反転処理を指示する白黒反転指示工程と、
前記判定工程の判定結果および前記白黒反転指示工程による指示の有無に応じて、前記操作部の操作と前記ウィンドウレベルの変化の方向を設定する設定工程とを有することを特徴とする画像処理方法。
【請求項１６】
コンピュータに請求項１１乃至１５の何れか１項に記載の画像処理方法を実行させることを特徴とするプログラム。
【手続補正２】
【補正対象書類名】明細書
【補正対象項目名】発明の名称
【補正方法】変更
【補正の内容】
【発明の名称】画像処理装置、画像処理方法、及びプログラム
【手続補正３】
【補正対象書類名】明細書
【補正対象項目名】０００１
【補正方法】変更
【補正の内容】
【０００１】
本発明は、医用画像等の画像処理装置及び画像処理方法、該画像処理方法を実行するためのプログラムに関する。
【手続補正４】
【補正対象書類名】明細書
【補正対象項目名】００１７
【補正方法】変更
【補正の内容】
【００１７】
本発明は上記従来の問題点に鑑み、ユーザが画像の光度解釈を意識せずに、ウィンドウ
レベルの値を操作することが可能な画像処理装置、画像処理方法、及びプログラムを提供することを目的とする。
【手続補正５】
【補正対象書類名】明細書
【補正対象項目名】００１８
【補正方法】変更
【補正の内容】
【００１８】
上記目的を達成するために、本発明の画像処理装置は、画像のダイナミックレンジの内、出力されるダイナミックレンジの幅の中間値を示すウィンドウレベルを、操作部の操作により変化させる画像処理装置において、画像を入力する画像入力手段と、前記画像入力手段によって入力された前記画像の光度解釈を判定する判定手段と、予め設定された光度解釈に応じて、前記操作部の操作と、前記ウィンドウレベルの変化の方向との対応を設定する設定手段と、前記判定手段によって前記予め設定された光度解釈とは異なる光度解釈の画像が入力されたと判定されるときに、前記設定手段によって設定された前記ウィンドウレベルの変化の方向を反転させる反転手段とを有することを特徴とする。
また、本発明の画像処理方法は、画像のダイナミックレンジの内、出力されるダイナミックレンジの幅の中間値を示すウィンドウレベルを、操作部の操作により変化させる画像処理方法において、画像を入力する画像入力工程と、前記画像入力工程によって入力された前記画像の光度解釈を判定する判定工程と、予め設定された光度解釈に応じて、前記操作部の操作と、前記ウィンドウレベルの変化の方向との対応を設定する設定工程と、前記判定工程によって前記予め設定された光度解釈とは異なる光度解釈の画像が入力されたと判定されるときに、前記設定工程によって設定された前記ウィンドウレベルの変化の方向を反転させる反転工程とを有することを特徴とする。
【手続補正６】
【補正対象書類名】明細書
【補正対象項目名】００１９
【補正方法】削除
【補正の内容】
【手続補正７】
【補正対象書類名】明細書
【補正対象項目名】００２１
【補正方法】変更
【補正の内容】
【００２１】
本発明の画像処理装置、画像処理方法、及びプログラムの実施の形態について、図面を参照しながら説明する。